(57)【要約】      （修正有） 【課題】異なる径の円面積を有する花壇を形成すると同時に、堅密な接合効果が得られる接続レンガを提供する。【解決手段】園芸、農業等の場所における花壇や路肩の塀、壁面等に使用されるレンガ１であって、レンガ１は立方体を呈し、四周表面が二個の相対する状態の短い凹カーブ面１１、短い凸カーブ面１２及び長い凹カーブ面１３、長い凸カーブ面１４から構成され、上、下は平らな表面１５を構成することにより、個々のレンガがその前後の短い凹、凸カーブ面１１、１２によって接合されて、短い凹、凸カーブ面１１、１２が同じ円サイズのカーブ面であることで、異なる接合角度に変化させることができて、異なる径の円面積を有する花壇を形成することが可能であると同時に、緊密な接合効果が得られる。【選択図】図２
0003204904.tif 000002
【実用新案登録請求の範囲】
【請求項１】
立方体を呈し、四周表面に二個の相対する短い凹、凸カーブ面及び長い凹、凸カーブ面を、上、下が平らな表面を構成し、
これにより、レンガ本体の前後の短い凹、凸カーブ面によって接合されて、短い凹、凸カーブ面が同じ円サイズのカーブ面であることで、異なる接合角度に変化させることができて、大きさの異なる円面積の花壇を構成させることができ、且つ、接合の緊密度を強化し、
さらに、他の二個の相対する状態の長い凹、凸カーブ面によって全体の花壇を形成するレンガの外表面がカーブ面の形態を構成することで、視覚効果を達成すると同時に、ぶつかった場合でもけがをする危険性を低く抑える効果を有することを特徴とする接続レンガ。
【請求項２】
レンガ本体の上下の平らな表面にくぼんだ穴、貫通孔を有することを特徴とする請求項１に記載の接続レンガ。
【請求項３】
レンガ本体の上下の平らな表面に凹凸穴を有することを特徴とする請求項１に記載の接続レンガ。
【請求項４】
レンガ本体の上下がカーブ面であることを特徴とする請求項１に記載の接続レンガ。
【請求項５】
レンガ本体の二個の相対する長い凹、凸カーブ面が平らな表面に変更されたことを特徴とする請求項１に記載の接続レンガ。
【考案の詳細な説明】
【技術分野】
【０００１】
本考案は、接続レンガに関し、特に、それぞれ個々が立方体を呈して、四周表面が二個の相対する短い凹、凸カーブ面及び長い凹、凸カーブ面を、上、下が平らな表面を有することで、個々のレンガがその前後の短い凹、凸カーブ面によって接合されて、異なる径の円面積を有する花壇を形成することが可能であると同時に、緊密な接合効果が得られることを特徴とする接続レンガに関する。
【背景技術】
【０００２】
一般に、花壇の製作にはレンガを並べて重ねることで大きさの異なるサークル（図１に表示のとおり）を形成させることが多い。個々のレンガはいずれも平らな長立方体であり、丸い形に接合する場合、その両端の表面は密に接触させることができない。たいていは、下にセメントを敷いて固定させるのみで、個々のレンガの両端を密に接合させる効果はないため、その接合度には限りがある。さらに、一般のレンガの四周はいずれも尖った辺角を有するため、何ら防護作用を有さず、不注意でぶつかった場合容易にけがをすることが考えられる。
【考案の概要】
【考案が解決しようとする課題】
【０００３】
したがって、本考案は、従来のレンガが有する欠点を解決する接続レンガを提供することを課題とする。
【課題を解決するための手段】
【０００４】
上記課題を解決するために、本考案の接続レンガは、個々のレンガ自身が有する二個の相対する短い凹、凸カーブ面によって接合されることで、異なる径の円面積を有する花壇を形成すると同時に、接合の緊密度を強化することを特徴とする。
【０００５】
上記課題を解決するために、本考案の接続レンガは、レンガ本体が立方体を呈し、四周表面に二個の相対する短い凹、凸カーブ面及び長い凹、凸カーブ面を、上、下が平らな表面を構成することで、レンガ本体の前後の短い凹、凸カーブ面によって接合されることを特徴とする。
【０００６】
上記課題を解決するために、本考案の接続レンガは、レンガ本体が、短い凹、凸カーブ面が同じ円サイズのカーブ面であることで、異なる接合角度に変化させることができて、大きさの異なる円面積の花壇を構成させることができることを特徴とする。
【０００７】
上記課題を解決するために、本考案の接続レンガは、個々のレンガが接合されると同時に、他の二個の相対する状態の長い凹、凸カーブ面によって全体の花壇を形成するレンガの外表面がカーブ面の形態を構成することで、視覚効果を達成すると同時に、ぶつかった場合でもけがをする危険性を低く抑える効果を有することを特徴とする。
【０００８】
上記課題を解決するために、本考案の接続レンガは、レンガの上、下の平らな表面をくぼんだ形態や貫通孔の形態を取ることで重量を軽減することが可能であることを特徴とする。
【考案の効果】
【０００９】
このように、本考案の接続レンガは、それぞれ個々が立方体を呈して、四周表面が二個の相対する短い凹、凸カーブ面及び長い凹、凸カーブ面を、上、下が平らな表面を有することで、個々のレンガがその前後の短い凹、凸カーブ面によって接合されて、異なる径の円面積を有する花壇を形成することが可能であると同時に、緊密な接合効果が可能である。
【図面の簡単な説明】
【００１０】
【図１】従来のレンガの接合形態を示した図である。
【図２】本考案の接続レンガを示した図である。
【図３】本考案を接合させた場合を示した図（一）である。
【図４】本考案を接合させた場合を示した図（二）である。
【図５】本考案を接合させた場合を示した図（三）である。
【図６】本考案を接合させた場合を示した図（四）である。
【図７】本考案の実施例を示した図（一）である。
【図８】本考案の実施例を示した図（二）である。
【図９】本考案の実施例を示した図（三）である。
【図１０】本考案の他の形態を示した図（一）である。
【図１１】本考案の他の形態を示した図（二）である。
【図１２】本考案の他の形態を示した図（三）である。
【図１３】本考案の他の形態を示した図（四）である。
【図１４】本考案の他の形態を示した図（五）である。
【図１５】本考案の他の形態を示した図（六）である。
【図１６】本考案の他の形態を示した図（七）である。
【図１７】本考案の他の形態を示した図（八）である。
【図１８】本考案の他の形態を示した図（九）である。
【図１９】本考案の実施例を示した図（五）である。
【図２０】本考案の他の形態を示した図（十）である。
【図２１】本考案の実施例を示した図（六）である。
【図２２】本考案の他の形態を示した図（十一）である。
【図２３】本考案の実施例を示した図（七）である。
【考案を実施するための形態】
【実施例】
【００１１】
まず、図２を参照しながら説明する。本考案の接続レンガは、園芸、農業等の場所における花壇や路肩の塀、壁面等に使用される。レンガ１は立方体を呈し、四周表面が二個の相対する状態の短い凹カーブ面１１、短い凸カーブ面１２及び長い凹カーブ面１３、長い凸カーブ面１４から構成され、上、下は平らな表面１５である。
【００１２】
個々のレンガ１の前、後は、二個の短い凹カーブ面１１、短い凸カーブ面１２を有する形態であることから、直接直列接合（図３、図４に示したとおり）が可能であり、カーブを描く角度での直列接合（図５に示したとおり）を行なうと、路肩の塀として運用することも可能である。各レンガ１の前、後の短い凹カーブ面１１、短い凸カーブ面１２は、カーブ面の形態を呈して密に接合することで、双方の貼合性が増して、凹、凸カーブ面が付き合わされる形態を取ることで、しっかりと堅固に接合される効果が強化される。さらに、前のレンガ１の短い凹カーブ面１１と後ろのレンガ１の短い凸カーブ面１２は、同じ円サイズのカーブ面を有することにより、接合する角度に変化を有することが可能で、湾曲する関節のように、大量の大きな円（図６に示したとおり）あるいは少量の小さな円面積の花壇にも応用できる。
【００１３】
大きな円、小さな円面積の花壇にかかわらず、いずれも多層に重ねることができ（図７、図８、図９に示したとおり）、いずれのレンガ１の他の相対する状態の長い凹カーブ面１３、長い凸カーブ面１４も、花壇全体の外表のカーブ面の形態を構成して、視覚効果を有するのみならず、カーブ面であることでぶつかった時にけがをする危険性を低く抑えることが可能である。
【００１４】
レンガ１自身は、異なる形態の変化を有する。例えば、上、下の元々平らな表面１５の状態に、くぼんだ穴や貫通孔１５１の形態を形成させたり（図１０、図１０、図１２に示したとおり）、平らな表面１５に丸いカーブ面１６を形成させたり（図１３に示したとおり）、さらに、凹凸穴１５２を形成させたり（図１４に示したとおり）することにより、重ねやすくすることができる。また、下の二個の相対する長い凹カーブ面１３、長い凸カーブ面１４は、二個の相対する平面状の長い平らな面１７の形態であることから（図１５、図１６、図１７に示したとおり）、さらに前術の各形態との組合せが可能である。例えば、レンガ１の上下丸いカーブ面１６を、二個の相対する平面状の長い平らな面１７の形態に組み合わせる（図１８に示したとおり）ことで、直列接合（図１９に示したとおり）できる。また、レンガ１は、貫通孔１５１の上、下平らな表面１５を長い平らな面１７形態と組み合わせて（図２０に示したとおり）、貫通孔に鉄筋２を追加して直列接合（図２１に示したとおり）させることにより、壁面に運用させることができる。また、レンガ１の上下を凸凹孔１５２（図１４、図２２に示したとおり）にして、直列接合（図２３に示したとおり）に運用できる。
【００１５】
以上、本考案の実施例を、図面を参照して詳述してきたが、具体的な構成は、これらの実施例に限られるものではなく、本考案の要旨を逸脱しない範囲の設計変更などがあっても、本考案に含まれる。
【符号の説明】
【００１６】
１          レンガ
１１        短い凹カーブ面
１２        短い凸カーブ面
１３        長い凹カーブ面
１４        長い凸カーブ面
１５        平らな表面
１５１      貫通孔
１５２      凹凸穴
１６        丸いカーブ面
１７        長い平らな面
２          鉄筋
【図１】
0003204904.tif 000003
【図２】
0003204904.tif 000004
【図３】
0003204904.tif 000005
【図４】
0003204904.tif 000006
【図５】
0003204904.tif 000007
【図６】
0003204904.tif 000008
【図７】
0003204904.tif 000009
【図８】
0003204904.tif 000010
【図９】
0003204904.tif 000011
【図１０】
0003204904.tif 000012
【図１１】
0003204904.tif 000013
【図１２】
0003204904.tif 000014
【図１３】
0003204904.tif 000015
【図１４】
0003204904.tif 000016
【図１５】
0003204904.tif 000017
【図１６】
0003204904.tif 000018
【図１７】
0003204904.tif 000019
【図１８】
0003204904.tif 000020
【図１９】
0003204904.tif 000021
【図２０】
0003204904.tif 000022
【図２１】
0003204904.tif 000023
【図２２】
0003204904.tif 000024
【図２３】
0003204904.tif 000025